(57)【特許請求の範囲】
【請求項１】
キー挿入溝に複数のコードピンをリング状に配列し、円筒状のキーで押し込み回転操作し、施錠或いは解錠操作する八万ロック錠において、
リング状に配列したコードピンを保持してキーの回転操作に合わせて回転可能な円盤体を二段有し、前記円盤体のうちキーが当接する一段目の第一円盤体のみキー操作に合わせて回転する個別キーと、二段目の第二円盤体も前記第一円盤体に連動して回転するマスターキーの２種類のキーによる操作を可能とし、前記第一円盤体の回転により施錠或いは解錠動作する係止片を前記第一円盤体の側部に突設配置し、錠の奥行きを２３ｍｍ以下としたことを特徴とする八万ロック錠。
【請求項２】
キー挿入溝を二ヶ所設け、挿入したキーを施錠した回転位置及び開錠した回転位置の双方で挿脱可能としたことを特徴とする請求項１記載の八万ロック錠。
【請求項３】
キー挿入溝を一ヶ所設け、挿入したキーを左右何れか一方に所定角度回転往復動させることで施錠操作可能とし、他方に所定角度回転往復動させることで開錠操作可能としたことを特徴とする請求項１記載の八万ロック錠。
【発明の詳細な説明】
【０００１】
【発明の属する技術分野】
本発明は、キー挿入面に複数のコードピンをリング状に配置し、円筒状のキーで施錠或いは開錠操作する所謂八万ロック錠に関し、詳しくはマスターキーを使用可能とする八万ロック錠の改良に関する。
【０００２】
【従来の技術】
キー挿入面に複数のコードピンをリング状に配置し、円筒状のキーでそのコードピンを挿入操作して施錠或いは開錠操作する所謂八万ロック錠は、従来図５に示すような形状であり、図５（ａ）は側面図、（ｂ）は主要部の断面説明図、（ｃ）はキー挿入部平面図を示している。図において、２１は円柱形状のコードピン、２２はキー操作により回転する円盤体、２３は基台、２４はキーであり、コードピン２１は円盤体２２に保持されてリング状に複数配列されている。また、基台２３にも施錠状態で円盤体２２のコードピン配列と同一位置にコードピン２１が配列され、更に下部にコイルバネ２５が配置されてコードピン２１を上方に付勢している。そして、キー２４を挿入することで、それぞれのコードピン２１を所定量押込み操作し、円盤体２２と基台２３の双方に渡り保持されるコードピンを無くすことで、円盤体２２が回動可能となり、円盤体２２に連結されている係止片２６を街回動させて開錠操作及び施錠操作を可能としている。
八万ロック錠はこのように、キー挿入面にコードピンを配列して複数のキーコードを構成するので奥行きを小さくしたまま数多くの異なった種類の錠の形成を可能としている。
【０００３】
【発明が解決しようとする課題】
しかし、上記八万ロック錠の場合、錠の種類を多くできるが、複数の異なる錠を共通する一つのキーで操作可能とする所謂マスターキーの設定ができないため、錠の種類だけキーを用意しなければならず、複数の錠を管理する場合厄介であった。
また、キーをハンドルと兼用させて錠を設けた扉等の開閉操作に使用する構成であるため、開錠した状態ではキーを抜き取ることができないようになっている。そのため、複数の錠を同一の構成として１個のキーで操作可能としても、一つの錠を開操作した状態で他の錠を操作するためには別途キーを用意しなければならず操作が不便であった。
そこで、本発明は上記問題点に鑑み、マスターキーを設定可能であって、且つ開錠した状態でキーを抜き取り可能な八万ロック錠を提供することを課題とする。
【０００４】
【課題を解決するための手段】
上記課題を解決するため、請求項１の発明は、キー挿入溝に複数のコードピンをリング状に配列し、円筒状のキーで押し込み回転操作し、施錠或いは解錠操作する八万ロック錠において、リング状に配列したコードピンを保持してキーの回転操作に合わせて回転可能な円盤体を二段有し、前記円盤体のうちキーが当接する一段目の第一円盤体のみキー操作に合わせて回転する個別キーと、二段目の第二円盤体も前記第一円盤体に連動して回転するマスターキーの２種類のキーによる操作を可能とし、前記第一円盤体の回転により施錠或いは解錠動作する係止片を前記第一円盤体の側部に突設配置し、錠の奥行きを２３ｍｍ以下としたことを特徴とする。
【０００５】
請求項２の発明は、請求項１の発明において、キー挿入溝を二ヶ所設け、挿入したキーを施錠した回転位置及び開錠した回転位置の双方で挿脱可能としたことを特徴とする。
【０００６】
請求項３の発明は、請求項１の発明において、キー挿入溝を一ヶ所設け、挿入したキーを左右何れか一方に所定角度回転往復動させることで施錠操作可能とし、他方に所定角度回転往復動させることで開錠操作可能としたことを特徴とする。
【０００８】
【発明の実施の形態】
以下、本発明を具体化した実施の形態を、図面に基づいて詳細に説明する。図１は本発明に係る八万ロック錠の実施形態の一例を示し、（ａ）は縦断面説明図、（ｂ）は正面説明図、（ｃ）はキーを示している。図示するように、円柱状のコードピン１を３段設け、各段のコードピン１はリング状に７本づつ配置され、キー挿入側前方の２段のコードピンの主要部は略円柱形状の第一円盤体２及び第二円盤体３に保持され、奥部の３段目のコードピンの主要部は基台４に保持されている。
【０００９】
第一円盤体２はキー５の当接面である前面の中央にキー５の挿入を案内する案内突起６を有し、その周囲に７個のコードピン１，１・・が円盤体の中心軸を中心としてリング状にそして中心軸に平行に配列されている。また、第一円盤体２の側面に施錠操作即ち回転操作した際に係止対象に係止する係止片７が突設されている。
第二円盤体３は第一円盤体２と略同一径で形成され、施錠状態で第一円盤体２と同一位置に７本のコードピン１，１・・が挿入配列されている。また、基台４は回動不能に固定配置され、第二円盤体と同様に施錠状態で第一円盤体２と同一位置に７本のコードピン１，１・・が挿入配列されている。そして、各コードピン１の下部にはコイルバネ８が配置され、各コードピン１は常時前方に付勢されされてる。
【００１０】
尚、コードピン１は、リング状に配置された７個全てが同一の長さではないし、異なる錠は異なる長さのコードピンが組み合わせられる。また、キー５は先端のキー操作部がリング状に配置されたコードピン１の配列径に合わせて円筒状に形成され、先端周囲にコードピンを押圧移動させるために半円筒状に切り欠いたコードピン溝９が形成されている。
【００１１】
次に、上記八万ロック錠の作用を説明する。まず、リング状に配列された７個のコードピン１，１・・のうち、図１（ｂ）の斜線で示す３個のコードピンをマスターキー用、他の４個を個別キー用とする。そして、個別キーはマスターキー用のコードピンに対して溝を設けないか、所定の一定の深さの溝を設け、他の４個のコードピンに対しては、その押込み量を操作する溝９を図１（ｃ）に示すように形成する。尚、この溝の深さはキーナンバーに応じて即ち対応するコードピンの組み合わせに応じて変更される。
詳しく説明すると、図２（ａ）の操作説明図に示すように個別キー５ａを押込み操作することで、第二円盤体３は少なくとも１個のコードピン１を基台４に跨って保持させ、回転不可とする。そして、第一円盤体２と第二円盤体３の間ではコードピン１が完全に分離されるようにし、第一円盤体２を回転可能とする。こうすることで、第一円盤体のみキー操作により回転でき、係止片７による係止動作をさせることができる。従って、施錠或いは開錠操作することができる。
【００１２】
そして、マスターキーによる操作の場合はマスターキー用の３個のコードピン１に対して押込み量を調整可能として、他のコードピン１に対しては溝を設けないか所定量の溝を設けることで、図２（ｂ）に示すようにマスターキー５ｂを押込み操作することで、第一円盤体２と第二円盤体３の間に少なくとも１個のコードピン１を跨いで保持させると共に、第二円盤体３と基台４の間ではコードピン１が完全に分離されるようにする。こうすることで、第一円盤体２の回動により第二円盤体３も回動させることが可能となり、第一円盤体２が第２円盤体３と完全に分離されなくても係止片７を回転操作することが可能となり、施錠及び開錠操作ができ、マスターキーとしての機能を持たせることができる。
このように、個別キーとは別にマスターキーが使用できるので、複数の錠を管理する場合であっても最小限のキー数にでき、管理が容易となる。
【００１３】
図３は上記八万ロック錠の外観を示し、（ａ）は枠体１１に図１（ａ）に示す本体を組み込んだ状態の側面透視図、（ｂ）は正面のキー挿入部を示している。図３（ａ）において、１２は枠体固定部であり、下方よりボルトを螺入して固定対象にネジ止め固定する雌ねじ１３が形成されている。また、係止片７は枠体１１に窓を設けて突出させている。
このように固定部１２や係止片７を円盤体の側部に設け、錠の奥行きを第一，第二の円盤体２，３及び基台４の厚みのみとしたことで、例えば２２．２ｍｍと２３ｍｍ以下にでき、マスターキーを使用できない従来の八万ロック錠と同等の奥行きにできる。そのため、従来の八万ロック錠に置き換えることも可能であり、構成を大きく変更することなくマスターキーを使用可能にできる。
【００１４】
また、図３（ｂ）に示すように、キー挿入溝１５は略９０度の角度を設けて第一の挿入溝１５ａと第二の挿入溝１５ｂと２ヶ所に設けてある。これは、キーの回転角度に合わせた角度で形成され、施錠及び開錠位置の双方でキーの抜き取りを可能としている。
こうすることで、開錠した状態及び施錠した状態の双方でキーの挿脱ができ、一つのマスターキーで複数の錠を容易に操作することが可能となる。
【００１５】
図４は本発明の他の形態を示す八万ロック錠の正面説明図である。上記実施の形態との相違点を説明すると、第一円盤体２の周囲に係止片７に係止して回転移動するロックプレート１７が設けられている。このロックプレート１７は係止片７の位置に合わせて配置され、係止片７に代わりにロック動作するもので、係止片７を保持する保持空間１８を有している。
図４（ａ）は施錠操作して戻した状態、図４（ｂ）は開錠操作して戻した状態を示し、保持空間１８は、係止片７の施錠或いは開錠動作の際の回転角度に合わせた係止片７の移動空間を有し、ロックプレート１７は施錠或いは開錠操作により移動して、中心位置、即ちキー挿脱位置にキーを戻した状態ではその移動した位置から変化しないようになっている。
このように構成することで、キーの挿脱位置を一ヶ所としても開錠した状態で容易にキーを抜き取ることができ、上記図５（ｃ）に示すようにキー挿入溝を１個とすることも可能である。
【００１６】
尚、ロックプレート１７は、第一円盤体２の円周上を摺動するように例えば保持リング１９を第一円盤体２に周設して、その保持リング１９に連続して形成すれば良い。
また、上記実施の形態ではマスターキー用のコードピンを３個、個別キー用を他の４個としたが、その比率は変更しても良いし、リング状に並べるコードピンの個数も７個に限定する必要はない。
【００１７】
【発明の効果】
以上詳述したように、請求項１の発明によれば、マスターキーが使用できるので、複数の錠を管理する場合であっても最小限のキー数にでき、管理が容易である。そして、奥行きを、従来の八万ロック錠の奥行きと略等しくでき、構成を大きく変更することなくマスターキー仕様に変更することが可能である。
また、請求項２，３の発明によれば、施錠状態と開錠状態の双方でキー挿脱ができるので、一つのマスターキーで複数の錠を容易に操作できる。
【図面の簡単な説明】
【図１】本発明に係る八万ロック錠の実施形態の一例を示し、（ａ）は施錠操作するキーハンドル、（ｂ）は八万ロック錠の正面説明図、（ｃ）は八万ロック錠の縦断面説明図である。
【図２】図１の施錠或いは開錠操作説明図であり、（ａ）は個別キー使用時、（ｂ）はマスターキー使用時を示している。
【図３】図１の八万ロック錠の外観図を示し、（ａ）は側面透視図、（ｂ）はキー挿入部を示している。
【図４】本発明の他の形態を示す八万ロック錠の正面説明図であり、（ａ）は施錠状態、（ｂ）は開錠状態を示している。
【図５】従来の八万ロック錠を示し、（ａ）は外観図、（ｂ）は縦断面説明図、（ｃ）はキー挿入部の平面図である。
【符号の説明】
１・・コードピン、２・・第一円盤体、３・・第２円盤体、４・・基台、５・・キー、５ａ・・個別キー、５ｂ・・マスターキー、６・・案内突起、７・・係止片、８・・コイルバネ、９・・コードピン溝、１１・・枠体、１２・・枠体固定部、１３・・雌ねじ、１５・・キー挿入溝，１５ａ・・第一の挿入溝，１５ｂ・・第二の挿入溝、１７・・ロックプレート。
【図１】
0003553898.tif 000002
【図２】
0003553898.tif 000003
【図３】
0003553898.tif 000004
【図４】
0003553898.tif 000005
【図５】
0003553898.tif 000006